Podtech/llm-jp-corpus-v4-ja_patent huggingface dataset:
(57)【要約】【課題】刈込高さを作業性良く容易に調整することができる手持ち式刈込機を提供すること。【解決手段】本体底部にブレード３を備え、本体１に内蔵されたモータの回転を偏心カムによって前記ブレード３の水平揺動運動に変換して刈込作業を行う手持ち式刈込機において、本体底面を前記ブレード３の揺動面に対して傾斜した面として複数の嵌合溝５−１〜５−４を形成し、該本体底面の傾斜に沿う斜面に複数の嵌合突起７を形成して成る刈込高さ調整用のアジャストプレート６を本体１とは別体に設け、該アジャストプレート６の前記嵌合突起７を前記本体底面の前記嵌合溝５−１〜５−４に選択的に嵌合させることによってアジャストプレート６の本体底面への装着位置を切り換え可能とする。【選択図】図１
2008220318.tif 000002
【特許請求の範囲】
【請求項１】
本体底部にブレードを備え、本体に内蔵されたモータの回転を偏心カムによって前記ブレードの水平揺動運動に変換して刈込作業を行う手持ち式刈込機において、
本体底面を前記ブレードの揺動面に対して傾斜した面として複数の嵌合溝を形成し、該本体底面の傾斜に沿う斜面に複数の嵌合突起を形成して成る刈込高さ調整用のアジャストプレートを本体とは別体に設け、該アジャストプレートの前記嵌合突起を前記本体底面の前記嵌合溝に選択的に嵌合させることによってアジャストプレートの本体底面への装着位置を切り換え可能としたことを特徴とする手持ち式刈込機。
【発明の詳細な説明】
【技術分野】
【０００１】
本発明は、芝生等の刈り込みに使用される手持ち式刈込機に関するものである。
【背景技術】
【０００２】
従来の手持ち式刈込機を図５及び図６に基づいて説明する。
【０００３】
図５及び図６は従来の手持ち式刈込機の側面図であり、図示の手持ち式刈込機は、本体底部にブレード３を備え、本体１に内蔵された不図示のモータの回転を偏心カムによって前記ブレード３の水平揺動運動に変換して芝等の刈り込み作業を行うものである（例えば、特許文献１参照）。
【特許文献１】特開２００６−１１５７０９号公報
【発明の開示】
【発明が解決しようとする課題】
【０００４】
斯かる手持ち式刈込機の刈込高さを調整するためには、ブレード３が所望の高さになるよう本体１を持ち上げて作業したり、図６に示すように、本体１をその底面部の一部を支点として傾け、ブレード３を高くして作業しなければならなかった。このため、作業性が非常に悪く、芝等の刈込高さを一定に揃えるのは至難であった。
【０００５】
本発明は上記問題に鑑みてなされたもので、その目的とする処は、刈込高さを作業性良く容易に調整することができる手持ち式刈込機を提供することにある。
【課題を解決するための手段】
【０００６】
上記目的を達成するため、本発明は、本体底部にブレードを備え、本体に内蔵されたモータの回転を偏心カムによって前記ブレードの水平揺動運動に変換して刈込作業を行う手持ち式刈込機において、本体底面を前記ブレードの揺動面に対して傾斜した面として複数の嵌合溝を形成し、該本体底面の傾斜に沿う斜面に複数の嵌合突起を形成して成る刈込高さ調整用のアジャストプレートを本体とは別体に設け、該アジャストプレートの前記嵌合突起を前記本体底面の前記嵌合溝に選択的に嵌合させることによってアジャストプレートの本体底面への装着位置を切り換える可能としたことを特徴とする。
【発明の効果】
【０００７】
本発明によれば、アジャストプレートの装着位置を切り換えることによってブレードの高さを調整することができるため、本体を手で持ち上げたり、傾けたりする不安定な状態で作業する必要がなく、刈込高さを作業性良く容易に調整することができるとともに、刈込高さを一定に揃えることができる。
【発明を実施するための最良の形態】
【０００８】
以下に本発明の実施の形態を添付図面に基づいて説明する。
【０００９】
図１は本発明に係る手持ち式刈込機の側面図、図２はアジャストプレートの斜視図、図３及び図４は刈込高さを設定した状態を示す手持ち式刈込機の側面図である。
【００１０】
図１に示す手持ち式刈込機は、本体１を片手に持ってトリガスイッチ２を引き、ブレード３を作動させつつ芝生等を刈り込むものである。
【００１１】
図１に示すように、手持ち式刈込機の本体底面部には、ブレード３の揺動面に対して傾斜したボトムカバー４が取り付けられており、該ボトムカバー４には４本の嵌合溝５−１，５−２，５−３，５−４が幅方向（図１の紙面垂直方向）に貫設されている。
【００１２】
本実施の形態では、手持ち式刈込機の刈込高さの調整には図２に示すアジャストプレート６が使用される。このアジャストプレート６は、上面が斜面を成し、この斜面には、前記ボトムカバー４に形成された嵌合溝５−１〜５−２に選択的に嵌合する２本の嵌合突起７が幅方向に平行に突設されている。
【００１３】
而して、上記アジャストプレート６は、その嵌合突起７を手持ち式刈込機のボトムカバー４の嵌合溝５−１〜５−４の隣接する２つに嵌合させることによってボトムカバー４に装着されるが、嵌合突起７を図１に示すように嵌合溝５−１，５−２に嵌合させれば、刈込高さｈ１を最も高く設定することができる。
【００１４】
又、嵌合突起７を図３に示すように嵌合溝５−２，５−３に嵌合させれば、刈込高さｈ２を中間高さ設定することができ、嵌合突起は７を図４に示すように嵌合溝５−３，５−４に嵌合させれば、刈込高さｈ３を最も低く設定することができる。
【００１５】
以上のように、本実施の形態によれば、アジャストプレート６のボトムカバー４への装着位置を３段階に切り換えることによって、本体１を手で持ち上げたり、傾けたりする不安定な状態で作業する必要がなく、刈込高さをｈ１，ｈ２，ｈ３と３段階に作業性良く容易に調整することができるとともに、刈込高さを一定に揃えることができる。
【００１６】
尚、本実施の形態では、刈込高さを３段階に調整するようにしたが、必ずしも３段階である必要はなく、それ以下でも以上であっても良い。
【産業上の利用可能性】
【００１７】
本発明は、刈込高さの調整機能を備える手持ち式刈込機に対して有効である。
【図面の簡単な説明】
【００１８】
【図１】本発明に係る手持ち式刈込機の側面図である。
【図２】アジャストプレートの斜視図である。
【図３】本発明に係る手持ち式刈込機の刈込高さを中間高さに設定した状態を示す側面図である。
【図４】本発明に係る手持ち式刈込機の刈込高さを最小高さに設定した状態を示す側面図である。
【図５】従来の手持ち式刈込機の側面図である。
【図６】従来の手持ち式刈込機の刈込高さの作業状態を示す側面図である。
【符号の説明】
【００１９】
１              本体
２              トリガスイッチ
３              ブレード
４              ボトムカバー
５−１〜５−４  嵌合溝
６              アジャストプレート
７              嵌合突起
【図１】
2008220318.tif 000003
【図２】
2008220318.tif 000004
【図３】
2008220318.tif 000005
【図４】
2008220318.tif 000006
【図５】
2008220318.tif 000007
【図６】
2008220318.tif 000008
(57)【要約】      （修正有）【課題】従来は道糸とハリスを継ぐため丸カンを使って仕掛を作っていたが、道糸にオモリを付けていたため道糸が板オモリのために傷ついていた。使っている内に道糸が切れてしまっていた。【解決手段】片方ヨリモドシにテンビンを付けハリスとハリスの間かくを開けて、ハリス同志のからまりを防ぐようにした。片方ヨリモドシの上方に板オモリを固定し、道糸の傷つきとハリス同志のからまりを解消したものである。【選択図】図２
2008220358.tif 000002
【特許請求の範囲】
板オモリが巻けるテンビン付片方ヨリモドシの釣具
【発明の詳細な説明】
【発明の詳細な説明】
この発明は道糸とハリスを継ぐため丸カンを使って仕掛を作っていたが道糸にオモリを付けていたため道糸が板オモリの為に傷ついていた。使っている内に道糸が切れてしまっていた。片方ヨリモドシにテンビンを付け、ハリスとハリスの間かくを開けてハリス同志のからまりを防ぐ様にした。本発明は道糸の傷つきとハリス同志のからまりを解消したものである。（１．）片方ヨリモドシを使ってオモリを道糸に巻かずにすむ（２．）板オモリが固定される。（３．）道糸を傷つけない。（４．）道糸とハリスを容易に継ぐことができる。（５．）ハリスとハリスをテンビンを使ってからまりを防ぐことができる。（６．）道糸のヨリとハリスのヨリをテンビン付片方ヨリモドシで防ぐことができる。（７．）板オモリの巾を一定のものにしないで巾の狭いものや巾の広いものを使用できる様になった。（８．）丸カンで手まどっていたハリス付けがテンビンを使うため、仕掛を作るのに容易になった。（９．）テンビンで道糸の平行が取れ道糸とハリスを長もちさせることができる。（１０．）えさ付けが容易になった。
【図面の簡単な説明】
【図１】平面図
【図２】全体図
【図１】
2008220358.tif 000003
【図２】
2008220358.tif 000004
(57)【要約】      （修正有）【課題】カッターナイフにおいて付加機能を自由に追加変更することのできるカッターナイフを提供する。【解決手段】カッター刃の出し入れガイドとなるカッターガイド部分の背にアタッチメント固定用切り込みを設け、カッターガイド部分には各種アタッチメントがスライド可能に装着されると共にカッターガイド部分に設けた切り込みを利用して任意の位置で固定可能となっている。アタッチメントの一例としてペンホルダアタッチメントや面取りカンナアタッチメントがある。【選択図】図４
2008220913.tif 000002
【特許請求の範囲】
【請求項１】
カッター刃ガイド部分を基本部品とし、取替え可能な握り部による構成のシステムカッターナイフ
【請求項２】
握り部分に設けられたペンホルダと、ペンサイズの付加機能部品による構成のシステムカッターナイフ
【発明の詳細な説明】
【技術分野】
【０００１】本発明はカッターナイフをカッターナイフのみの使用にとどまらず、筆記用具や面取り用かんな等、付加機能の追加変更可能なカッターナイフを提供する
【背景技術】
【０００２】カッターナイフにおいて、ペンや鉛筆削り等付加機能付カッターナイフはあったが、組み合わせを後から変更できるものは無かった。
【発明の開示】
【発明が解決しようとする課題】
【０００３】建設現場ではベニヤや石膏ボード等の切断作業にはペンとカッターナイフ、及び面取りカンナなどは頻繁に使われるが、それらの持ち替え動作はわずらわしいものである。それらを一体化し、持ち替え動作を無くせば一連の作業がスムーズになると判断するが、ボールペンが適切な場合と鉛筆で無ければいけない場合、さらに面取りカンナなどは不要な場合もあるため、必要なときに必要な組み合わせを選択することが可能なカッターナイフを提供する
【課題を解決するための手段】
【０００４】カッターガイド部を基礎部品としての機能を持たせるためカッターガイドのカッター刃の背に当たるガイド外側側面数箇所にアタッチメント固定用の切り込みを入れた。【０００５】付加機能追加用部品にはアタッチメント固定用の切り込み部分にかみ合うように抜き差し可能なピンもしくはネジを配置する【０００６】付加機能追加用部品に基礎部品であるカッターガイドを差し込み、固定用のネジもしくはピンで固定する。【０００７】もう一つの方法としてグリップ部分にペンを支持可能なペンホルダを形成することでペン等をアタッチメント部品化した
【発明の効果】
【０００８】持ち替え動作が必要な道具を一体化することで一連の作業がスムーズに行える。【０００９】壊れるなど、使用不可能になった部品を取り替えることができるようになった。
【発明を実施するための最良の形態】
【００１０】以下、図面を参照して本発明のカッターナイフについて説明する。図１は請求項１で示す基礎部品となるカッターガイド部分であり、カッター刃の背に当たる部分数箇所には、アタッチメント固定用の切込みを入れてある。【００１１】そして図２は請求項１のアタッチメント部品であり請求項２でもあるペンホルダアタッチメントである。図１のカッターナイフの固定用の切り込みにピンがかみ合うようにピンホールが開けてあり、スライドして任意の位置で固定できるようになっている。【００１２】図３は請求項１のアタッチメント部品である面取りカンナアタッチメントである。図１のカッターナイフの固定用の切り込みにピンがかみ合うようにピンホールが開けてあり、スライドして任意の位置で固定できるようになっている。【００１３】利用者は図１、図２、図３に代表されるシステムを、必要に応じて組み合わせ、一体化されたカッターナイフとすることができる
【実施例】
【００１４】試作として建設現場で利用可能なヤスリつきペンホルダと面取りカンナとして機能するアタッチメントを作成した
【産業上の利用可能性】
【００１５】１．発明品は照明アタッチメントや替え刃ケースアタッチメント、接着剤アタッチメント等、その他さまざまな付加機能部品の発生を促す
【図面の簡単な説明】
【００１６】
【図１】当発明の基本部品であるカッター本体部分である
【図２】当発明に装着可能なペンホルダである
【図３】当発明に装着可能な面取りカンナである
【図４】図１、図２、図３を組み合わせ、さらにペンホルダにペンを装着し、多機能カッターとした図である。
【図１】
2008220913.tif 000003
【図２】
2008220913.tif 000004
【図３】
2008220913.tif 000005
【図４】
2008220913.tif 000006
(57)【要約】【課題】従来の欠点は次の通りである。電熱線に厚みがある関係上、電熱線の分だけ毛布が盛り上がってしまう（図１の１）。▲１▼これによって、自己の体重をかけて使用する、敷くタイプの電気毛布等は、盛り上がっている線の部分に体が押しつけられ、低温やけどを起こすことがあった。▲２▼電気掛け毛布に比べて、温度を上げることができない原因であった。▲３▼また、触感についても、コードが這っているという違和感があった。【解決手段】電気敷き毛布については、電熱線の通っていない凹部分（図１の２参照）をクッションで底上げして、電熱線との段差を解消又は緩和する。或いは、電熱線の通っていない凹部分（図１の２参照）を凸にする。  電気カーペットについては、前者と同様な対策の他に、次のような対策も考えられる。電気カーペットの上に乗せるカバーの、図１の２に当たる部分にだけ、クッションをつけて電熱線の盛り上がりを解消又は緩和する。或いは、電熱線の通っていない凹部分（図１の２参照）を凸にする。【選択図】図１
2008220912.tif 000002
【特許請求の範囲】
【請求項１】
電気敷き毛布については、電熱線の通っていない凹部分（図１の２参照）をクッションで底上げして、電熱線との段差を解消又は緩和する。或いは、電熱線の通っていない凹部分（図１の２参照）を凸にする。
【請求項２】
電気カーペットについては、前者と同様な対策の他に、次のような対策も考えられる。電気カーペットの上に乗せるカバーの、図１の２に当たる部分にだけ、クッションをつけて電熱線の盛り上がりを解消又は緩和する。或いは、電熱線の通っていない凹部分（図１の２参照）を凸にする。
【発明の詳細な説明】
【技術分野】
【０００１】    電気敷き毛布・電気カーペットとは、毛布又は絨毯を２枚貼り合わせた中の空間に熱線を挟み込み、これに電流を流すことで、加温するものである。本発明は、これについての改良である。
【背景技術】
【０００２】    従来の製品は、毛布又は絨毯を２枚貼り合わせて、単にその中の空間に電線を挟み込んでいた。
【発明の開示】
【発明が解決しようとする課題】
【０００３】    従来の欠点は次の通りである。電熱線に厚みがある関係上、電熱線の分だけ毛布が盛り上がってしまう（図１の１）。▲１▼これによって、自己の体重をかけて使用する、敷くタイプの電気毛布等は、盛り上がっている線の部分に体が押しつけられ、低温やけどを起こすことがあった。▲２▼電気掛け毛布に比べて、温度を上げることができない原因であった。▲３▼また、触感についても、コードが這っているという違和感があった。
【課題を解決するための手段】
【０００４】    電気敷き毛布については、電熱線の通っていない凹部分（図１の２参照）をクッションで底上げして、電熱線との段差を解消又は緩和する。或いは、電熱線の通っていない凹部分（図１の２参照）を凸にする。
電気カーペットについては、前者と同様な対策の他に、次のような対策も考えられる。電気カーペットの上に乗せるカバーの、図１の２に当たる部分にだけ、クッションをつけて電熱線の盛り上がりを解消又は緩和する。或いは、電熱線の通っていない凹部分（図１の２参照）を凸にする。
【発明の効果】
【０００５】    欠点▲１▼について、電熱線の通っている凸が解消又は緩和される。欠点▲２▼について、温度を上げることができるようになる。欠点▲３▼について、コードが這っているという違和感がなくなる。
電熱線の通っていない凹部分（図１の２参照）を凸にすることによって、利用者の体に直接電熱線が触れなくなるので、さらに温度を上昇させても低温やけどを起こさなくなる。
【発明を実施するための最良の形態】
【０００６】    電気敷き毛布については、電熱線の通っていない凹部分（図１の２参照）をクッションで底上げして、電熱線との段差を解消又は緩和する。或いは、電熱線の通っていない凹部分（図１の２参照）を凸にする。
電気カーペットについては、前者と同様な対策の他に、次のような対策も考えられる。電気カーペットの上に乗せるカバーの、図１の２に当たる部分にだけ、クッションをつけて電熱線の盛り上がりを解消又は緩和する。或いは、電熱線の通っていない凹部分（図１の２参照）を凸にする。
【図面の簡単な説明】
【０００７】
【図１】電気敷き毛布を真上からとらえた図である。長方形の中で波を打っているように見えるのが、電熱線であり、凸になっているところである（符号は１）。それ以外は箇所には、電熱線が通っていないので凹んでいる（符号は２）。
【符号の説明】
【０００８】    １  電熱線の通っている凸部分
２  電熱線の通っていない凹部分
【図１】
2008220912.tif 000003
(57)【要約】【課題】  体積２ｃｃ余り、厚さ１２ｍｍ、巾９ｍｍ、長さ２０ｍｍで箱形で、輪ゴムのついている箱形の小指刺激器なるものは流通しているが、こういう体型の物を、足や手の隣接している指の間に挟み置いて、他の空いた手で之等の指を掴み、更に圧力を加えて、指に痛いと言う感じを起させ、この感じを脳に影響させ度いが、この器具は、柔らか過ぎて、指に痛い感じを起させない。この様な使い方をして、指に痛いという感じを起させて、脳に何らかの影響を起させる事を自覚させたいのである。【解決手段】  上記小指刺激器の中心構造物を、常温で固化するプラスチックにし、輪ゴムをつけ皮膚に感じの良い紙質粘着テープで覆った指刺激器を作り、上記の使い方をして、指に痛いという感じを起させ脳の各部に、指に痛みを与える部分によって、直に、影響の起る事が自覚できた。【選択図】図３
2008220911.tif 000002
【特許請求の範囲】
【請求項１】
手や足の隣接する指の間に挟み置いて、空いた手で、之等の指を握り、更に圧力を加えて、指に痛いと言う感じを与え、或は、手の指の１本を内側に倒す時に、その倒す指の内側の掌に於いて、倒す指に刺激を与える器具に於て、体積を０．５ｃｃ〜２０ｃｃ、厚さ５ｍｍ以上、巾３０ｍｍ以下、長さ４５ｍｍ以下で、厚さ、巾、長さは、３者の内、厚さは一番小さく長さは一番長い。この様な器具に於いて、被計測物に接する先端の面が５ｃｍ２で円形の圧力計で、使用する面に、１分間に５ｍｍの速力で、圧力を加えた時、収縮率を２５％以下とする。上記の方法で指を刺激する器具の製造方法。
【発明の詳細な説明】
【技術分野】
【０００１】  本発明は、健康を増進する為に使用する器具である。
【背景技術】
【０００２】
【非特許文献１】  健康雑誌安心１月号平成１９年１月１日発行ｐ１４０安田医院院長安田譲発表。小指の刺激が難しい障害を解決すると。
【発明の開示】
【発明が解決しようとする課題】
【０００３】  体積２ｃｃ余り、厚さ１２ｍｍ、巾９ｍｍ、長さ２０ｍｍで箱形なのは流通しているが、足や手の隣接する指の間に挟み置いて、他の空いた手で、之等の指を掴み、更に圧力を加えても、この器具の柔らかさが、５ｋｇの圧力を、毎分５ｍｍの速力で加えても、収縮率は、３５％あり、指に痛いという感じを起させず、随って、頭脳にも何の反応もないが、この様な使い方をして、指に痛いという感じを起させて、頭脳に何らかの反応が起る事を、直ぐに自覚させたいのである。【０００４】  本発明は、このような従来の構成が有していた問題を解決しようとするものであり、指に痛いという感じを起させて、頭脳に、何らかの反応が起る事を、直ぐに自覚させることを目的とするものである。
【課題を解決する手段】
【０００５】  上記器具の中心構造物を、常温で固化するプラスチックにし、紙質粘着テープで覆った。
【発明の効果】
【０００６】  上述したように、本発明の器具で、足や手の指間に２〜３点ずつ刺激を加え、その点毎に、脳の違った部分毎に反応の起る事が自覚する。
【０００７】  唾液の分泌量が、今迄経験がない程、大量に出る。
【０００９】  手相の頭脳線が長くなる。
【００１０】  絶えて久しくても、性欲が起る。
【００１１】  膝に違和感のある時には、悪いと自覚のある片足と同じ側の手の小指に、ゴム輪を引っかけ、小指の付根の掌に、箱部を置いて、小指で押え、空いている手で、小指の爪を押え、圧力を加えると、違和感は消える。
【００１２】  中風の後遺症で、片足が動き難い時には、悪い方の片足と同じ側の手の小指を、〔００１１〕の様にすると、動きの悪い方の足が、動く様になる。
【００１３】  得手な方の手の小指を〔００１１〕の様にすると、字が早く書ける様になり、不得手な方の手の小指を〔００１１〕の様にすると、力強い字が書ける様になる。
【発明を実施する為の最良の形態】
【００１４】  梯形（底辺１１ｍｍ．上辺７ｍｍ、高さ１８ｍｍ）の向き合った、互いに平行な２面を持ち、長さは２１ｍｍで、梯形面の斜めの線は、最大で１．５ｍｍ外部に張り出した丸味を帯び、体積は３．５ｃｃあり、底面は空間で、箱全面の厚さは０．７ｍｍで、ポリスチレン製、輪ゴム（折り返し径、４．５ｃｍ）と共に、常温で固化するプラスチックで箱の空間を埋め、ポリスチレン製の蓋をし、紙質粘着テープで被覆した。
【図面の簡単な説明】
【００１５】
【図１】  側面図
【図２】  梯形面の図
【図３】  全体を、斜め横、斜めの高さから見た図
【符号の説明】
【００１６】１  底辺
２  上辺
３  梯形面
４  輪ゴム
【図１】
2008220911.tif 000003
【図２】
2008220911.tif 000004
【図３】
2008220911.tif 000005
(57)【要約】【課題】病即治療不老不死光を作り最新科学応用で病即治療不老不死を可能にする。【解決手段】ヒトｉＰＳ細胞初期化３遺伝子Ｏｃｔ３／４、Ｓｏｘ２、Ｋｌｆ４を取り出し増殖させそのＡＴＧＣの塩基の化学元素を光に情報とエネルギーとして乗せて全身に照射して皮膚から吸収させヒトｉＰＳ細胞初期化３遺伝子利用病即治療不老不死光で病即治療不老不死にする。【選択図】なし【特許請求の範囲】
【請求項１】
（イ）ヒトｉＰＳ細胞技術応用体細胞を初期化するのに必要な３つの遺伝子のうちＯｃｔ３／４、Ｓｏｘ２で万能性維持とＫｌｆ４で体細胞が分化したことで得た情報を消しゴムのように消す働きをするのでこれらの３遺伝子のＡＴＧＣは塩基の化学元素なのでそれらを取り出す。
（ロ）増殖したこれら３つの遺伝子のＡＴＧＣは塩基の化学元素なので光に情報とエネルギーとして乗せて全身の皮膚に照射して皮膚から吸収させる。
（ハ）その増殖は止まらないので老化はなくなり若返るしレトロウイルス培養とガン遺伝子には紫外線Ｂ波かビタミンＤでガンになるのを防ぐ。
（ニ）その光は老衰、病気などの異常細胞を正常細胞に初期化して治すし蘇生まで可能とする。
以上の如く論理で導かれるヒトｉＰＳ細胞初期化３遺伝子利用病即治療不老不死光発生装置。
【発明の詳細な説明】
【技術分野】
【０００１】本発明は、ヒトｉＰＳ細胞初期化３遺伝子利用病即治療不老不死光発生装置に関する。
【背景技術】
【０００２】  従来、ヒトｉＰＳ細胞初期化３遺伝子利用病即治療不老不死光発生装置に関する技術はなかった。【０００３】
【非特許文献１】「ニュートン」２００７年７月号、１４頁から９１頁。
【非特許文献２】「ニュートン」２００８年２月号、７０頁から７５頁。
【発明の開示】
【発明が解決しようとする課題】
【０００４】  従来、ヒトｉＰＳ細胞初期化３遺伝子利用病即治療不老不死光発生装置に関する技術はなかったので最新技術よって実現させる。
【課題を解決するための手段】
【０００５】  ヒトｉＰＳ細胞初期化３遺伝子のＡＴＧＣは塩基の化学元素なので光に情報とエネルギーとして乗せて全身に照射して皮膚から吸収させる。
【発明の効果】
【０００６】  病即治療し不老不死の肉体を保てる。
【発明を実施するための最良の形態】
【０００７】    以下、本発明の実施例について時系列的論理的に文章で説明する。先ず、ヒトｉＰＳ細胞初期化３遺伝子のうちＯｃｔ３／４、Ｓｏｘ２で万能性維持とＫｌｆ４で体細胞が分化したことで得た情報を消す働きのものをヒト成人皮膚からこれら３遺伝子のＡＴＧＣは塩基の化学元素なので光に情報とエネルギーとして乗せて全身に照射して皮膚から吸収させる。その増殖は止まらないので老化はなくなり若返るしレトロウイルス培養とガン遺伝子には紫外線Ｂ波かビタミンＤでガンになるのを防ぐ。その光は老衰や病気などの異常細胞を正常細胞に初期化して治すし蘇生も可能とする。
以上の如く論理で導かれるヒトｉＰＳ細胞初期化３遺伝子利用病即治療不老不死光発生装置。
【実施例】
【０００８】    上記の如く実施される。
【産業上の利用可能性】
【０００９】    ヒトｉＰＳ細胞初期化３遺伝子利用病即治療不老不死光発生装置技術も大きく進歩を遂げ高齢化が進む中この光の需要の産業上の利用可能性は高いと解される。
(57)【要約】【課題】  本発明は物干ハンガーの使用時及び保管時においてそのピンチが隣接する物と絡んでしまうためピンチの絡み付きを防止する物干ハンガーを提供する。【解決手段】  本発明は物干ハンガーのピンチを連結するためのピンチ連結治具を設ける。このピンチ連結治具を用いてハンガーフレームより吊り下げられたピンチを輪の状態に連結する。【選択図】図３
2008220905.tif 000002
【特許請求の範囲】
【請求項１】
物干ハンガーフレームより吊り下げられたピンチを連結する治具を設ける。
【請求項２】
請求項１の連結治具を用いてハンガーフレームより吊り下げられたピンチを輪の状態に連結する事によりピンチどうしの間隔を保ち、なおかつ動きを制約した結果物干ハンガーの使用時及び保管時においてピンチが隣接する物と絡む事をを防止した物干ハンガー。
【発明の詳細な説明】
【技術分野】
【０００１】  本発明は衣類等の洗濯物を吊り下げて干すための物干ハンガーに関するものである。
【背景技術】
【０００２】  従来の物干ハンガーはハンガーフレームより複数のピンチを吊り下げただけの構造のものが多数であるがピンチ一個づつに絡み防止治具を装着した物、又ピンチ総てを紐でまとめる構造の物もある。
【特許文献１】  特開２００４−２０９１２８号公報
【特許文献２】  実用新案登録第３０７６８３７号公報
【発明の開示】
【発明が解決しようとする課題】
【０００３】  従来の物干ハンガーは使用時及び保管時にピンチが隣接する物と絡んでしまう。使用のためハンガーフレームを拡げる過程で絡んだピンチをその都度、整理しなくてはならず厄介である、又この時ピンチ及びピンチ吊り治具等の破損を招いていた。本発明はこれらの問題を解決するためになされたものである。
【課題を解決するための手段】
【０００４】  ハンガーフレームより吊り下げられたピンチの間隔を保ち、動きを制約するためにピンチ連結治具を設ける、このピンチ連結治具を用いてハンガーフレームより吊り下げられたピンチを連結し輪の状態にする。本発明は以上の構成によりピンチの絡み付きを防止した。
【発明の効果】
【０００５】  物干ハンガーの使用時及び保管時においてピンチが隣接する物と絡む事はない。
ハンガーフレームを折り畳んだ状態から開く過程においてもピンチの絡み付きはなく容易に使用できる。そのためピンチ及びピンチ吊り治具等の破損をも軽減する。
【発明を実施するための最良の形態】
【０００６】  以下、本発明の実施の形態を説明する。
（イ）図１は棒状で両端を円形にし円い部分の一箇所にピンチ（３）のリングバネ（２）を差し込める隙間を設けるピンチ連結治具（１）である。
（ロ）図２はハンガーフレーム（５）より吊り下げられたピンチ（３）のリングバネ（２）にピンチ連結治具１）を取り付けた状態である。
（ハ）図３はハンガーフレーム（５）より吊り下げられたピンチ（３）をピンチ連結治具（１）にて輪の状態に連結したものである。
（ニ）図４はハンガーフレーム（５）を二つ折りにした状態である。
本発明は以上の構成よりなる。
【図面の簡単な説明】
【０００７】
【図１】本発明のピンチ連結治具の斜視図
【図２】同、ピンチ連結治具をピンチのリングバネに取り付けた詳細図
【図３】同、ピンチを輪の状態に連結した物干ハンガーの詳細図
【図４】同、ピンチを輪の状態に連結した物干ハンガーを二つ折りにした詳細図
【符号の説明】
【０００８】（１）  ピンチ連結治具
（２）  リングバネ
（３）  ピンチ
（４）  ピンチ吊り治具
（５）  ハンガーフレーム
（６）  ハンガー吊り治具
（７）  ハンガーフック
【図１】
2008220905.tif 000003
【図２】
2008220905.tif 000004
【図３】
2008220905.tif 000005
【図４】
2008220905.tif 000006
(57)【要約】【課題】      ひも靴を子どもや老人、障害のある方や介護する方でも靴ひもを結ばずに簡単な操作で締めたりゆるめたり出来、靴ひもがほどけることのない機能とファッション性を提供する。【解決手段】    靴ひもを通す穴を設けた靴ひも留め具本体にひもの先端をとめる靴ひも端固定具を設け、靴ひも留め具本体に固定と解除をする靴ひも調整固定具を取り付ける。【選択図】図１
2008220908.tif 000002
【特許請求の範囲】
【請求項１】
靴ひもに取り付けることにより、靴ひもを結んだりほどいたりせずにひも靴を脱ぎ履きできるようにする器具。
【発明の詳細な説明】
【技術分野】
【０００１】  この発明は、ひも靴のひもを簡単に締めたりゆるめたりする器具に関するものである。
【背景技術】
【０００２】  従来より、ひも靴の脱ぎ履きには、ひもを結んだり締めたりしていた。
【発明の開示】
【発明が解決しようとする課題】
【０００３】  従来のように靴ひもを結んだ場合、履いている間に靴ひもがゆるんだりほどけたりすることがあった。【０００４】  また、ほどけた靴ひもを踏んで転倒したり、靴ひもを汚してしまったりしていた。【０００５】  また、子どもや老人、障害のある方には靴ひもをしっかり結ぶのは難しかった。【０００６】  また、靴に対する靴ひもの長さが長すぎのものが多く、靴ひもの長さを調整する上で機能上の不都合があった。【０００７】  また、靴ひもの結び方には、見映えの上でファッション的要素に不満な点があった。【０００８】  本発明は、従来のこれらの欠点を除くためになされたものである。
【課題を解決するための手段】
【０００９】  靴ひも留め具本体に靴ひもを通し、靴ひもを任意の長さに切断し、靴ひも留め具本体に靴ひもの端を固定ことで、靴ひもの長さ調整が出来るようにした。【００１０】  また、靴ひも留め具本体に通した靴ひもを引いて固定具でとめることにより、簡単に靴ひもを締めた状態を作りだせるようにした。靴ひもをゆるめる時も簡単な操作で固定具をゆるめることで容易に出来るようにした。【００１１】  また、靴ひも留め具本体と固定具に対し、形状や色彩など多様なデザインを施すことが可能となりファッション性にも優れたものになった。【００１２】  本発明は、以上のような靴ひも留め具本体に靴ひもの端を固定する固定具と、靴ひもを締め付ける靴ひも調整固定具による構成からなる靴ひも留め具である。
【発明の効果】
【００１３】  上述したように本発明の靴ひも留め具は、簡単な操作で靴ひもを固定でき、靴ひもがゆるんだり、ほどける心配がないことから、ほどけたひもやゆるんだひもを踏んで転倒する心配がない。【００１４】  また、操作が簡単であることから、子どもや老人、障害のある方や介助する人が、楽に靴ひもの固定と解除ができる。【００１５】  また、靴ひもを靴ひも留め具本体に取り付ける際に予め靴ひもの長さを調整するので、靴ひもを留めたときの輪になる部分の長さが余り過ぎず機能的で見栄えが良く、靴ひも留め具本体や固定具の形状にデザインや色を施すことにより、ファッション性に優れたものを提供できるものである。
【発明を実施するための最良の形態】
【００１６】以下、本発明の実施例について図１〜４に基づいて説明する。【００１７】  箱形に靴ひもを通す穴、ひも穴４、５、６、４Ａ、５Ａ、６Ａを設けた形状の靴ひも留具本体１にひもの端をとめる靴ひも端固定具２を設け、靴ひも留め具本体１に固定と解除をする靴ひも調整固定具３を取り付ける。【００１８】  本発明は以上のような構造で、これを使用する時は、靴ひもを結ぶ場所に靴ひも留め具本体１を置き、靴ひもを靴ひも留め具本体１の左右からそれぞれひも穴４、ひも穴４Ａに通して、ひも穴４を通した靴ひもはひも穴５を通し任意の長さで切り、ひも穴６に入れ、ひも穴４Ａを通した靴ひもはひも穴５Ａを通し任意の長さで切り、ひも穴６Ａに入れて、靴ひも端固定具２で止める。靴を履く際は、靴を履いて靴ひもを左右に引き、締め具合を調整し、靴ひも調整固定具３を閉じて固定する。靴を脱ぐ際には、靴ひも調整固定具３を開いて靴ひもをゆるめる。
【図面の簡単な説明】
【００１９】
【図１】本発明の斜視図である。
【図２】本発明の平面図である。
【図３】本発明の正面図である。
【図４】本発明の側面図である。
【符号の説明】
【００２０】  １  靴ひも留め具本体
２  靴ひも端固定具
３  靴ひも調整固定具
４  ひも穴
５  ひも穴
６  ひも穴
４Ａ  ひも穴
５Ａ  ひも穴
６Ａ  ひも穴
【図１】
2008220908.tif 000003
【図２】
2008220908.tif 000004
【図３】
2008220908.tif 000005
【図４】
2008220908.tif 000006
(57)【要約】【課題】本発明は、日常生活、スポーツトレーニング時にウエイトトレーニングをする状態で両手の掌を解放することを課題とした。【解決の手段】リストバンドの外側にマジックテープを貼りつけてリストバンドに装着することによって、ウエイトトレーニングをしつつ両手の掌を解放する。【選択図】図３
2008220910.tif 000002
【特許請求の範囲】
【請求項１】
日常生活及びスポーツトレーニング時に手首に負荷をかけることにより両手の掌を開放し、筋肉トレーニングをすることができる装置である。
【請求項２】
リストバンドの中の重りは、リストバンドとテープマジックで接合されており簡単に装着が可能。
【発明の詳細な説明】
【発明の詳細な説明】
【技術分野】
【０００１】本発明は、日常生活及びスポーツトレーニングにおいて、手首に個々人に適応した負荷を与えることにより筋肉並びに体力の増強をおこなう装置である。
【背景技術】
【０００２】従来，掌で運動器具を握らなくてはならない為、手が塞がってしまい、他の所作ができなかった。
【発明が解決しようとする課題】
【０００３】従来の技術でも述べたように通常、ウエイトトレーニングの運動器具（鉄アレイ、エキスパウンダー等）は掌で握らないと使用できなかった。
【課題を解決するための手段】
【０００４】上記課題を解決するために、リストバンドに重りを装着させて、ウエイトトレーニング用の運動器具にすることで両手の掌を開放する。
【０００５】そして、上記のウエイトリストバンド仕様を足首用に流用することでウエイトリストバンドのような効果が下半身の筋力トレーニングにも応用できる。
【発明を実施するための最良の形態】
【０００６】（イ）図１のリストバンドの外側Ｂにマジックテープを付ける。
（ロ）図２の重りのリストバンドとの接着面Ｄにマジックテープを付ける。
（ハ）重りをリストバンドに装着し折り返すと図３になる。
（ニ）重りの形態は自由にできる。
【発明の効果】
【０００７】本発明は、上記の通りに構成されているので次の効果を奏する。
【０００８】請求項１については、日常生活、スポーツトレーニング（ウオーキング・ジョギング等）中に装着し、両手の掌が解放された状態。
【０００９】請求項２については、リストバンドと重りをマジックテープで接合させるため装着が簡単。
【００１０】請求項３については、重りの材質を鉛（比重１１．４３）であるためコンパクトでかさばらない。
形態は、図２のように多彩である。
直方体：１０ミリ×８．７５ミリ×５ミリ＝４３７．５立方ミリ≒５０ｇ
【図面の簡単な説明】
【図１】リストバンドに重りを装着する前の状態である。
【図２】重りにマジックテープを貼りつけた状態である。
【図３】リストバンドに重りを装着して折り返した状態である。
【符号の説明】
Ａ    リストバンド本体
Ｂ    マジックテープ
Ｃ    重り（鉛：比重１１．４３）
Ｄ    マジックテープ
【図１】
2008220910.tif 000003
【図２】
2008220910.tif 000004
【図３】
2008220910.tif 000005
(57)【要約】【課題】      踵の高い履物や、厚い靴底により腰椎に過度な圧迫がかかり、股関節や膝のゆがみの原因となっているため、それを取り除く形の履物を提供する。【解決手段】  仙骨が内側に入り込むようにサンダルの踵を下げると同時に足指本来の働きを促すようサンダル前面において５本の足指を床につかない程度に下に向け角度を下げる。サンダル前面の厚さによって生じる歩きにくさは足親指の付け根の直ぐ後ろから作られるサンダル底のアーチにより補うのを特徴とする。【選択図】図１
2008220907.tif 000002
【特許請求の範囲】
【請求項１】
仙骨を内側（恥骨側）に入れ込みやすくするように、サンダルの踵を適度な曲線で下げ、足指５本全ての把持能力を引き出すようにサンダルの前面（指側）を下に向けて角度をつけ指が下に折れ曲がるようにする。
サンダルの踵を下げる曲線は、実際に仙骨を操作できている人物が実際に仙骨を締めた状態で体重をかけ、理想の曲線を作り出す。できるだけ厚くなく安定感のある大きさを理想とする。前面を高くすることにより生ずる歩行のしにくさは、足親指の付け根に位置するすぐ後ろから始まるサンダル底にアーチをつけることにより補う。
サンダルの前面は歩くとき、足指が床につかない程度の角度を保つこと、あまり深く折り曲がらないようにすることが大切である。
【発明の詳細な説明】
【技術分野】
【０００１】  この発明は、独自の曲線で踵部分を下げ、足の指５本全ての把持能力を引き出すためサンダルの前面を下に向け角度を下げた形のものです。
【背景技術】
【０００２】  従来の作品は踵が下がったものもあったようであるが、下げる曲線も違和感があると同時に足の指も上がったままなので使用感に不快感があった。
【発明の開示】
【発明が解決しようとする課題】
【０００３】  これは次のような欠点があった。従来の殆どの履物は底が厚い他、踵の部分が高くなっていた。この形では腰が反ってしまい腰椎に負担をかけすぎるため腰痛や膝痛を招いてきた。加えて人間本来の正しい立ち方、歩き方には絶対必要な足指の力が履物のせいで衰えている。本発明は、以上のような欠点をなくすためになされたものである。
【課題を解決するための手段】
【０００４】  サンダルの踵を適度な曲線で下げ、足指５本全ての把持能力を引き出すようにサンダルの前面（指側）を下に向けて角度をつけで指が下に折れ曲がるようにする。なおサンダル前面の厚さによる足指の曲がりにくさの欠点は足親指付け根の直ぐ後ろにアーチを作ることにより解決する。
【発明の効果】
【０００５】  踵の高い靴が腰椎を圧迫するのとは逆に、踵を下げることで仙骨を内側（恥骨側）に入れ込み、腰椎の圧迫を解放し股関節のゆがみをとり膝への偏った圧迫を取り除く。足指の下への折り曲げは踵を下へ落としたときの不安定感を取り除くと同時に、足底の長拇指屈筋が鍛えられ、現代病とも言える姿勢や動きの基本となる足指の不使用を解消する。
【発明を実施するための最良の形態】
【０００６】  以下、本発明を実施するための最良の形態について説明する。
サンダルの踵を下げる曲線は、実際に仙骨を操作できている人物が実際に仙骨を締めた状態で体重をかけ、理想の曲線を作り出す。できるだけ厚くなく安定感のある大きさを理想とする。（発明者は「仙骨姿勢講座」などを書き、全国版の雑誌に定期的に体の使い方を説明している者である）サンダルの前面が歩くとき、足指が床につかない程度の角度を保つこと、あまり深く折り曲がらないようにすることが大切である。なおサンダル前面の厚さによる足指の曲がりにくさの欠点は足親指付け根の直ぐ後ろにアーチを作ることにより解決する。
材料は従来のものでもかまわない。
本発明は、以上のような構造である。
これを使用するときは、大人でも子供でも日常の生活をする時となんら変わりなく履いていただければよい。
【図面の簡単な説明】
【０００７】
【図１】  本発明の側面図である。
2008220907.tif 000003
【図２】  本発明の平面図である。
2008220907.tif 000004
【符号の説明】
【０００８】  １    足指を下げる
２    足親指の付け根の部分すぐ後ろにアーチをつける
３    踵を下げる
【図１】
2008220907.tif 000005
【図２】
2008220907.tif 000006
【手続補正書】
【提出日】平成19年6月7日(2007.6.7)
【手続補正１】
【補正対象書類名】明細書
【補正対象項目名】０００７
【補正方法】変更
【補正の内容】
【０００７】
【図１】  本発明の側面図である。
【図２】  本発明の平面図である。
(57)【要約】【課題】本発明は、液状有害物の溶融炉処理を可能とし、液状有害物質の吸着により安定して取り扱う事が出来る。しかも、高度な設備費用を必要としない無害な環境用材であること。【解決手段】液状有害物を珪藻土焼成粒、ゼオライト、植物質破片の多孔質体に含浸、吸着させ固定化し、安定して密閉型溶融炉で高温処理することにより有害物の除去をおこなう。本発明は物質を分解させる能力技術の開発である。環境改善をし、環境保護、保全に貢献することを特徴とする。【選択図】図１
2008220903.tif 000002
【特許請求の範囲】
【請求項１】
珪藻土焼成顆粒を密閉型溶融炉に用いる液体物処理の方法。
【請求項２】
珪藻土焼成顆粒を用いた液体の固形化と固定化。
【請求項３】
液体廃棄物処理として多孔性の珪藻土、ゼオライト、植物質破片のシリカ構造に液体廃棄物を浸透させ固定化することを特徴とした。
【請求項４】
無害の天然素材からなることを特徴とし、安全性、経済性、実用性に優れた珪藻土、ゼオライト、植物質破片を用途に応じて組み合わせることを特徴とした環境用材。
【発明の詳細な説明】
【技術分野】
【０００１】本発明は、環境用材に関するものである。液状有害物質や液体廃棄物の処理は難しく社会問題となっている。本発生に係わる処理技術は、多孔質構造の向上を図った天然物質に液体廃棄物を固定化することにより、安定して処理することが出来、廃棄物による環境への影響を低減する。
【背景技術】
【０００２】プラズマによる熱分解炉での固形廃棄物処理の方法がある。
液状有害物質の処理方法は様々あるが設備の規模や処理能力に問題。
液状有害物質の熱処理は、不燃液体の場合に液体の炉内への直接投入は難しい。
【特許文献１】特願２０００−３６０３９５
【非特許文献１】朝日新聞２００６年１１月２９日「新科論」
【発明の開示】
【発明が解決しようとする課題】
【０００３】液体廃棄物による汚染が環境問題となっている。環境悪化の対策として設備、機材の投入はされているものの液体廃棄物の処理は難しく処理量や処理料等十分な処理対策にいたっていない。液体廃棄物の解決について数多くの提案がなされ、実用化されてはいるものの設備投資額と多大なる費用を要している。
【課題を解決するための手段】
【０００４】珪藻土焼成粒に液体物を含浸させ炉内に投入する。【０００５】本発明は、特願２００５−３６５８８６を活用したもの。【０００６】珪藻土は、秋田県北秋田市から産出される多孔質珪藻土、ゼオライトは秋田県二ツ井より産出される鉱物の多孔質構造での処理が望ましい。【０００７】本発明は、向上させた多孔質の機能、性能と珪藻土、ゼオライト、植物の有用性を環境用材としての提供を目的とする。
【発明の効果】
【０００８】多孔質体気孔に液体廃棄物を含浸させることにより、気孔部分が作用し固定化され安定した高熱処理をすることにより環境への影響を低減する。【０００９】天然素材の珪藻土、ゼオライト、植物質破片の有用な特徴と細孔部と吸着保存効果はこれまでにない優れた環境用材を得ることができた。【００１０】多孔質に液体を含浸させることにより安定し、しかも安全性、経済性に優れた実用環境用材が出来た。
【発明を実施するための最良の形態】
【００１１】本発明は珪藻土を直径２ミリメートル程度の略均一粒状に形成し、約１０００度で焼いた多孔質。セラミックの個々の孔は連続している。その体積の約７０パーセントが微細な気孔で占められており、目詰まりのない最大の特性から有害物質を吸う吸着効果がある。【００１２】珪藻土、ゼオライト、植物質破片使用で液体有害物質を固定化される。
高温処理によって残渣処理を可能とする。【００１３】本発明の環境用材は、天然多孔質物質をベースとしており無害を特徴とする。
【産業上の利用可能性】
【００１４】本発明に用いた環境用材は浄化システムの働きにより低減分解作用がある。液状有害物、液体廃棄物の固定化が容易であり、プラズマ溶融炉、分解炉等、密閉型溶融路にて高温処理をすることが出来ることにより廃棄物影響を低減する。ＰＣＢ等の液状有害物質、液体廃棄物の処理に利用可能性を持つ。
【図面の簡単な説明】
【００１５】
【図１】多孔質構造のモデル。
【図２】珪藻土の組成分析表である。
【図３】ゼオライトの組成分析表である。
【図１】
2008220903.tif 000003
【図２】
2008220903.tif 000004
【図３】
2008220903.tif 000005
(57)【要約】      （修正有）【課題】ペ−パ−をホルダから引っ張り出し、カッタ−に合せ、引っ張って切ろうとしても、繰り出してきて弛んでしまい、上手に切れない。【解決手段】ペ−パ−２を蓋１の上面を通すことで、繰り出しを調節し、ミシン目をカッタ−３に合せ易くなり、下向き引っ張りになって、切り易くなる。【選択図】図１
2008220901.tif 000002
【特許請求の範囲】
【請求項１】
ペ−パ−の繰り出しを調節する蓋を設けたことを特徴とするペ−パ−ホルダ
【請求項２】
調節を利かせて蓋上面のカッタで、下向き引っ張りで切る、ことを特徴とする請求項１記載のペ−パ−ホルダ
【発明の詳細な説明】
【０００１】  この発明はトイレのロ−ルペ−パ−の切断方法に関する。
【背景技術】
【０００２】ホルダの蓋の先端にカッタ−部が設けてあるが切り方は様々である。
【発明の開示】
【発明が解決しようとする課題】
【０００３】既存のホルダは、ペ−パ−を蓋の下側から引き出す方式が主でミシン目をカッタ−部に合せにくい。
又、ペ−パ−を引っ張って切る時、ペ−パ−が繰り出されてきて、上手に切れない
ミシン目を合せ易く、ペ−パ−が繰り出して来ないホルダを提供することを課題とする。
【課題を解決するための手段】
【０００４】  ペ−パ−２を蓋１の上面を通す方式に変えた。
蓋１は軸支６が支点となり前方が下向きに押さえられると、後方がストッパ−４に触れ、ペ−パ−２の繰り出しを調節するようにした、ことを特徴とするペ−パ−ホルダである。
【発明の効果】
【０００５】  ペ−パ−２のミシン目をカッタ−３に合せ易い、
ペ−パ−２を、蓋１の上面を滑らせ押さえるように下向きに引っ張り出すことで、蓋１が押さえられ繰り出しを調節する。
【発明を実施するための最良の形態】
【０００６】  ミシン目付きのペ−パ−２を、ホルダ５に装着しその先端を引っ張り出し、次に蓋１をそのペ−パ−２の下側へ挿入し、軸支６へ装着して後、蓋１の上面に先端を置く。
使用するときは、必要量引っ張り出して後、蓋１上面を滑らせ引っ張り角度を下向きに加減しながら、ミシン目を合せ切断に適度な調節で引っ張り切る。
【図面の簡単な説明】
【０００７】
【図１】この発明実施形態を示す断面図
【図２】平面図  藍１及びホルダ６の一部を示す
【符号の説明】
１蓋
２ペ−パ−
３カッタ−
４ストッパ−
５ホルダ
６軸支
【図１】
2008220901.tif 000003
【図２】
2008220901.tif 000004
(57)【要約】【課題】  従来、携帯用卓上鏡は、設置する卓上の高さが、台の前に着席して鏡を使用する者の胸の下部位の高さなので、その卓上の鏡に顔を写す時は、鏡面を顔方向の斜め上に向けて設置するので、顎下から斜め上に向って写す状態となり、垂直な鏡面に垂直な顔面を写す自然な映像とは異なって不自然な映像となり化粧がしにくい。この欠点を解決するため鏡の使用者の自然体で垂直な顔面と鏡面をほぼ同じ高さで平行に位置させて、斜め下からではなく、正面から写す正しい映像を得るようにする。そして、携帯時には小さく折りたたんで携帯しやすくする。【解決手段】  鏡を設置する卓上から、その前に着席する鏡の使用者の顔面までの高さの平均的な寸法とほぼ同じ長さの支柱を合成樹脂等の硬質資材で形成し、その上端に鏡の下縁部を、下端に支柱を支持する支持部材の一縁を、角度を調節しながら屈伸自在になる蝶番状に連結する。【選択図】図１
2008220906.tif 000002
【特許請求の範囲】
【請求項１】
鏡を設置する卓上から、その前に着席する鏡の使用者の顔面までの高さの平均的な寸法とほぼ同じ長さの支柱を形成し、その一端に鏡の下縁部を、他端に支柱を支持する支持部材の一縁を、角度を調節しながら屈伸自在になる蝶番状に連結した携帯用卓上鏡。
【発明の詳細な説明】
【技術分野】
【０００１】  本発明は、携帯用卓上鏡を使用する場合に鏡面を、台の前に着席している鏡の使用者の自然体で垂直な顔面とほぼ同じ高さで顔面と平行に位置させるために、鏡の下縁に角度を調節しながら屈伸自在になる蝶番状に連結する支柱を設け、携帯時にはその支柱を折りたたんで小さくし携帯しやすくしたものである。
【背景技術】
【０００２】  従来、携帯用卓上鏡を使用する場合は、鏡に設けられている支持部材で角度を調節して卓上に立てている。【０００３】  この場合、鏡を立てている卓上の高さは、台の前に着席している鏡の使用者のほぼ胸の下部位置であるので、この鏡に顔を写す時は、鏡面を顔面の方向斜め上に向けて設置するので、顔の顎から斜め上に向って写す状態となり、自然体で垂直状態の顔を垂直な鏡面に写す自然な映像とは異なって、不自然な映像となり化粧がしにくい。
【発明の開示】
【発明が解決しようとする課題】
【０００４】  本発明は、携帯用卓上鏡を使用する場合に起こる上述の欠点を除いて、卓上の鏡の鏡面を、台の前に着席している鏡の使用者の自然体で垂直な顔面とほぼ同じ高さで顔面と平行に位置させて、自然で正しい映像を得るようにする携帯用卓上鏡を提供するとともに、携帯時には折りたたんで小さくし携帯しやすくすることを目的とするものである。【０００５】  上記目的を達成するため、鏡を設置する卓上から台の前に着席している鏡の使用者の顔面までの高さの平均的な寸法、約２３センチ前後の長さの支柱を形成し、その上端に鏡の下縁部を、そして下端に支柱を卓上に立てて転倒しないように支持する支持部材の一縁を、角度を調節しながら屈伸自在になる蝶番状に連結している。
【発明の効果】
【０００６】  上述したように本発明の携帯用卓上鏡は、台の前に着席している鏡の使用者の自然体で垂直な顔面とほぼ同じ高さで顔面と平行に位置させることによって、斜め下から写す不自然な映像ではなく、自然で正しい映像を得て化粧しやすくすることができる。【０００７】そして携帯時には支柱を折りたたんで小さくし携帯しやすくすることができる。
【発明を実施するための最良の形態】
【０００８】以下発明の実施の形態を実施例に基ずき図面を参照して説明する。【０００９】（１）は携帯用卓上鏡として適当な大きさの鏡である。（２）は合成樹脂や金属等の硬質資材で形成した支柱で、鏡（１）を設置する卓上から、台の前に着席している鏡の使用者の顔面までの高さの平均的な寸法、約２３センチ前後の長さにしている。【００１０】  そして支柱（２）の上端に鏡（１）の下縁部を、角度を調節しながら屈伸自在になる蝶番状に連結し、支柱（２）の下端に、支柱（２）が転倒しないように支持する支持部材（５）の一縁を、角度を調節しながら屈伸自在になる蝶番状に連結している。【００１１】  個人的な座高の高さの違いに対しては、支柱（２）と鏡（１）、支柱（２）と支持部材（５）の角度を僅かに調節することによって対応できる。
【図面の簡単な説明】
【００１２】
【図１】本発明の正面斜視図
【図２】本発明の折りたたんだ状態を示す平面図
【図３】本発明の鏡を使用する場合の、顔面に対する鏡面の角度を示す側面図
【図４】従来の携帯用卓上鏡を使用する場合の、顔面に対する鏡面の角度を示す側面図
【符号の説明】
【００１３】１          鏡２          支柱３，４      角度を調節しながら屈伸自在になる蝶番５          支持部材６          鏡の使用者の顔面７          鏡の使用者
【図１】
2008220906.tif 000003
【図２】
2008220906.tif 000004
【図３】
2008220906.tif 000005
【図４】
2008220906.tif 000006